(57)【要約】      （修正有）【課題】根茎菜、特に人参などの成長速度を早くすることが可能とする人参の栽培方法、更に農作業における畝の形成、畝への複数の溝の形成、畝溝底部への種まき、除草剤を噴霧し、畝全体表面へのシート貼りの一連の作業を可能とする溝形成用マルチ農機具を提供する。【解決手段】耕作地を耕うんし、畝および畝に、複数の溝２を平行に形成するステップ１と、複数の畝溝２の底部に、根茎菜の種３を間隔をあけてまくステップ２と、根茎菜の種３をまいた後に、畝および複数の溝２の表面全体を、畝溝２の方向に、間隔を持って配列された複数の孔５が開けられた第１のシート４で覆うステップ３と、第１のシート４の上の全体を、孔のない第２のシートで覆うステップ４と、畝溝２の温度を保温して、種３を発芽させ、根茎菜の生育を行うステップ５とで構成される根茎菜の栽培方法である。【選択図】図３
2014018115.tif 000002
【特許請求の範囲】
【請求項１】
耕作地を耕うんし、畝を形成し、前記畝の領域内に複数の溝を平行に形成するステップ１と、
前記複数の溝の底部に、根茎菜の種を間隔をあけてまき、除草剤を噴霧するステップ２と、
前記根茎菜の種を間隔をあけてまき、除草剤を噴霧した後に、前記畝および複数の溝の表面全体を、前記溝の方向に、間隔を持って配列された複数の孔が開けられた第１のシートで覆うステップ３と、
前記第Ｉのシートの上の全体を、孔のない第２のシートで覆うステップ４と、
前記畝溝の温度を保温して、種を発芽させ、根茎菜の生育を行うステップ５とで構成されることを特徴とする根茎菜の栽培方法。
【請求項２】
前記溝の幅は、１０ｃｍ〜１５ｃｍであり、溝の深さは、５ｃｍ〜１０ｃｍであり、溝の中心部間隔は、２０ｃｍ〜３０ｃｍとすることを特徴とする請求項１記載の根茎菜の栽培方法。
【請求項３】
前記第１のシートの複数の孔は、前記溝の長手方向に沿って開けられ、かつ、溝の解放部分を覆うようにシートが貼りつけられ、１個の孔の大きさは、幅０．８〜１．５ｃｍ、長さ５．５〜６．５ｃｍであって、孔の間隔は、５．０ｃｍ〜１０．０ｃｍ
であることを特徴とする請求項１または２記載の根茎菜の栽培方法。
【請求項４】
前記畝溝の温度は、１５℃以上に保温されていることを特徴とする請求項１ないし３のいずれか１項記載の根茎菜の栽培方法。
【請求項５】
前記根茎菜は、人参であることを特徴とする請求項１ないし４のいずれか１項記載の根茎菜の栽培方法。
【請求項６】
耕うん用の回転ローラと、耕うんした土によって、畝を形成するための畝形成板と、
形成した畝の領域内に、複数の溝を形成するための、農機具の進行方向と直交する方向に配列された複数の溝切板と、
複数の種まき機と、
除草剤を噴霧する噴霧機と、
前記畝全体表面を覆うように、前記溝の方向に、間隔を持って配列された複数の孔が開けられた第１のシートを貼る第１のシート貼り機と、
前記第１のシートの全面を、孔の無い第２のシートを貼る第２のシート貼り機とで構成されたことを特徴とする溝形成用マルチ農機具。
【請求項７】
前記複数の種まき機は、それぞれ回転ドラム内に種が装着される機構であって、前記複数の畝溝切板の後方に位置していることを特徴とする請求項６の溝形成用マルチ農機具。
【請求項８】
前記第１のシートの複数の孔は、前記溝が形成される長手方向に沿って開けられ、かつ、溝の解放部分を覆うようにシートが貼りつけられ、１個の孔の大きさは、幅０．８〜１．５ｃｍ、長さ５．５〜６．５ｃｍであって、孔の間隔は、５．０ｃｍ〜１０．０ｃｍであることを特徴とする請求項６または７記載の溝形成用マルチ農機具。
【請求項９】
畝が形成され、前記畝の領域内に、複数の溝を平行に形成され
前記複数の溝の底部に、根茎菜の種が間隔をあけてまかれ、
除草剤が前記溝内の噴霧されており、
前記畝および複数の溝の表面全体が、前記溝の方向に、間隔を持って配列された複数の孔が開けられた第１のシートで覆われており、
前記第Ｉのシートの上の全体を、孔のない第２のシートで覆われたことを特徴とする根菜菜の栽培地。
【請求項１０】
前記溝の幅は、１０ｃｍ〜１５ｃｍであり、溝の深さは、５ｃｍ〜１０ｃｍであり、溝の中心部間隔は、２０ｃｍ〜３０ｃｍとすることを特徴とする請求項９記載の根菜菜の栽培地。
【請求項１１】
前記第１のシートの複数の孔は、前記溝の長手方向に沿って開けられ、かつ、溝の解放部分を覆うようにシートが貼りつけられ、１個の孔の大きさは、幅０．８〜１．５ｃｍ、長さ５．５〜６．５ｃｍであって、孔の間隔は、５．０ｃｍ〜１０．０ｃｍ
であることを特徴とする請求項９または１０記載の根菜菜の栽培地。
【発明の詳細な説明】
【技術分野】
【０００１】
本発明は、根茎菜、特に人参などの栽培にて、耕作地を耕うんしつつ、畝に複数の溝を形成し、前記溝の底部に、人参の種をまき、除草剤を噴霧し、その後、シートをかぶせて、人参を栽培し、特に人参の成長速度を速くできる根茎菜の栽培方法に関する。
また、前記の根茎菜の栽培方法を、１台の農機具で実現することができる溝形成用マルチ農機具に関する。
【背景技術】
【０００２】
従来の人参の栽培方法について説明する。図４は、従来の人参の栽培方法を示す図である。
図４にて、８は、ビニールハウス、１１，１２は、畝であり、７は、畝に植えられた人参である。なお、９は、ビニールハウス固定用の残土である。
【０００３】
特許文献１の図３によれば、温室の中に設置された苗床に、人参植えてを栽培している状態が開示されている。
【０００４】
特許文献２によれば、農作業用の溝を形成する農機具について、開示されている。
【先行技術文献】
【特許文献】
【０００５】
【特許文献１】特開平１１−２２０９４３号公報
【特許文献２】特開２００７−２５２２２１号公報
【発明の概要】
【発明が解決しようとする課題】
【０００６】
特許文献１による栽培方法では、ビニールハウス、あるいは温室を用いる栽培方法は、ビニールハウスなどの設備を設置する作業工数、および費用がかかるという問題点があった。
また、人参栽培にて、温度管理が必要であった。
【０００７】
特許文献２の農機具は、溝のみ掘ることはできるが、複数の溝を掘ることはできないという問題点があった。
【０００８】
本発明の課題は、根茎菜、特に人参などの栽培において、従来よりも作業工数および費用が大幅に削減された構造が簡単な栽培地を実現でき、かつ根茎菜、特に人参の成長速度を従来よりも早くすることが可能であって、これによって根茎菜を市場に出荷する時期を早めることができる根茎菜の栽培方法および栽培地を提供し、更に農作業における畝の形成、前記畝への複数の溝の形成、溝底部への種まき、畝全体表面へのシート貼りの一連の作業を可能とする溝形成用マルチ農機具を提供することである。
【課題を解決するための手段】
【０００９】
本発明の請求項１に係る発明は、耕作地を耕うんし、畝を形成し、前記畝の領域内に複数の溝を平行に形成するステップ１と、前記複数の溝の底部に、根茎菜の種を間隔をあけてまき、除草剤を噴霧するステップ２と、前記根茎菜の種を間隔をあけてまき、除草剤を噴霧した後に、前記畝および複数の溝の表面全体を、前記溝の方向に、間隔を持って配列された複数の孔が開けられた第１のシートで覆うステップ３と、前記第Ｉのシートの上の全体を、孔のない第２のシートで覆うステップ４と、前記畝溝の温度を保温して、種を発芽させ、根茎菜の生育を行うステップ５とで構成されることを特徴とする根茎菜の栽培方法である。
【００１０】
本発明の請求項２に係る発明は、前記溝の幅は、１０ｃｍ〜１５ｃｍであり、溝の深さは、５ｃｍ〜１０ｃｍであり、溝の中心部間隔は、２０ｃｍ〜３０ｃｍとすることを特徴とする請求項１記載の根茎菜の栽培方法である。
【００１１】
溝の幅が、１０ｃｍ未満、深さが５ｃｍ未満であると、根茎菜の成長を妨げることとなり、また、溝の幅が、１５ｃｍを超え、深さが１０ｃｍを超えと、溝内の保温効果が低下して発芽が阻害されるという問題点がある。
溝の中心線間隔が、２０ｃｍ未満であると、根茎菜が成長した時に、互いに悪影響を及ぼし、また、溝の中心線間隔が、３０ｃｍを超えると、栽培地を使用する効率が低下するという問題点がある。
【００１２】
本発明の請求項３に係る発明は、前記第１のシートの複数の孔は、前記溝の長手方向に沿って開けられ、かつ、溝の解放部分を覆うようにシートが貼りつけられ、１個の孔の大きさは、幅０．８〜１．５ｃｍ、長さ５．５〜６．５ｃｍであって、孔の間隔は、５．０ｃｍ〜１０．０ｃｍであることを特徴とする請求項１または２記載の根茎菜の栽培方法である。
【００１３】
ここで、前記第Ｉのシートに関して、１個の孔の幅が０．８ｃｍ未満、長さが５．５ｃｍ未満であると、成長した根茎菜が、第１シートの上に出ることが阻害され、また、１個の孔の幅が１．５ｃｍを超え、長さが６．５ｃｍを超えると、第１シートの保温効果が低下するという問題点がある。孔の間隔が５．０ｃｍ未満であると、孔に合わせて種をまくので、根茎菜が接近してしまう問題点があり、また、孔の間隔が１０．０ｃｍを超えると、根茎菜の収穫本数が少なくなるという問題点がある。
【００１４】
本発明の請求項４に係る発明は、前記畝溝の温度は、１５℃以上に保温されていることを特徴とする請求項１ないし３のいずれか１項記載の根茎菜の栽培方法である。
ここで、畝溝の温度が、１５℃未満であると、根茎菜の発芽が、阻害される問題点がある。
【００１５】
本発明の請求項５に係る発明は、前記根茎菜は、人参であることを特徴とする請求項１ないし４のいずれか１項記載の根茎菜の栽培方法である。
ここで、人参の他、たまねぎ、かぶ等の野菜も該当する。
【００１６】
本発明の請求項６に係る発明は、耕うん用の回転ローラと、耕うんした土によって、畝を形成するための畝形成板と、形成した畝の領域内に、複数の溝を形成するための、農機具の進行方向と直交する方向に配列された複数の溝切板と、複数の種まき機と、除草剤を噴霧する噴霧機と、前記畝全体表面を覆うように、前記溝の方向に、間隔を持って配列された複数の孔が開けられた第１のシートを貼る第１のシート貼り機と、前記第１のシートの全面を、孔の無い第２のシートを貼る第２のシート貼り機とで構成されたことを特徴とする溝形成用マルチ農機具である。
【００１７】
本発明の請求項７に係る発明は、前記複数の種まき機は、それぞれ回転ドラム内に種が装着される機構であって、前記複数の畝溝切板の後方に位置していることを特徴とする請求項６の溝形成用マルチ農機具である。
【００１８】
本発明の請求項８に係る発明は、前記第１のシートの複数の孔は、前記溝が形成される長手方向に沿って開けられ、かつ、溝の解放部分を覆うようにシートが貼りつけられ、１個の孔の大きさは、幅０．８〜１．５ｃｍ、長さ５．５〜６．５ｃｍであって、孔の間隔は、５．０ｃｍ〜１０．０ｃｍであることを特徴とする請求項６または７記載の溝形成用マルチ農機具である。
【００１９】
ここで、前記第Ｉのシートに関して、１個の孔の幅が０．８ｃｍ未満、長さが５．５ｃｍ未満であると、成長した根茎菜が、第１シートの上に出ることが阻害され、また、１個の孔の幅が１．５ｃｍを超え、長さが６．５ｃｍを超えると、第１シートの保温効果が低下するという問題点がある。孔の間隔が５．０ｃｍ未満であると、孔に合わせて種をまくので、根茎菜が接近してしまう問題点があり、また、孔の間隔が１０．０ｃｍを超えると、根茎菜の収穫本数が少なくなるという問題点がある。
【００２０】
本発明の請求項９に係る発明は、畝が形成され、前記畝の領域内に、複数の溝を平行に形成され前記複数の溝の底部に、根茎菜の種が間隔をあけてまかれ、除草剤が前記溝内の噴霧されており、前記畝および複数の溝の表面全体が、前記溝の方向に、間隔を持って配列された複数の孔が開けられた第１のシートで覆われており、前記第Ｉのシートの上の全体を、孔のない第２のシートで覆われたことを特徴とする根菜菜の栽培地である。
【００２１】
本発明の請求項１０に係る発明は、前記溝の幅は、１０ｃｍ〜１５ｃｍであり、溝の深さは、５ｃｍ〜１０ｃｍであり、溝の中心部間隔は、２０ｃｍ〜３０ｃｍとすることを特徴とする請求項９記載の根菜菜の栽培地である。
【００２２】
本発明の請求項１０に係る発明は、前記第１のシートの複数の孔は、前記溝の長手方向に沿って開けられ、かつ、溝の解放部分を覆うようにシートが貼りつけられ、１個の孔の大きさは、幅０．８〜１．５ｃｍ、長さ５．５〜６．５ｃｍであって、孔の間隔は、５．０ｃｍ〜１０．０ｃｍであることを特徴とする請求項９または１０記載の根菜菜の栽培地である。
【発明の効果】
【００２３】
請求項１〜５の根茎菜の栽培方法によれば、従来よりも作業工数および費用が大幅に削減された構造が簡単であって、かつ根菜菜、特に人参の成長速度を早くすることを可能とする根菜菜の栽培方法を提供できる。
【００２４】
請求項６〜８の溝形成用マルチ農機具によれば、の複数の溝の形成、畝溝底部への種まき、除草剤の噴霧、畝全体表面へのシート貼りの一連の作業を可能とする農機具が提供できる。
【００２５】
請求項９〜１１の根菜菜の栽培地によれば、従来よりも作業工数および費用が大幅に削減された構造が簡単であって、かつ根菜菜、特に人参の成長速度を早くすることを可能とする根菜菜の栽培地を提供できる。
【００２６】
本発明によれば、根茎菜、特に人参などの栽培において、従来よりも作業工数および費用が大幅に削減された構造が簡単な栽培地を実現でき、かつ根茎菜、特に人参の成長速度を従来よりも早くすることが可能であって、これによって根茎菜を市場に出荷する時期を早めることができる根茎菜の栽培方法および栽培地を提供でき、更に農作業における畝の形成、前記畝への複数の溝の形成、溝底部への種まき、畝全体表面へのシート貼りの一連の作業を可能とする溝形成用マルチ農機具を提供することができる。
【図面の簡単な説明】
【００２７】
【図１】本実施例の人参の栽培方法でのステップ１の状態で、耕作地を耕うんして、畝および複数の溝を形成した図。
【図２】本実施例の人参の栽培方法でのステップ２の状態で、ステップ１で形成した複数の溝の底部に、人参の種をまいた図。
【図３】本実施例の人参の栽培方法でのステップ３の状態で、前記畝および複数の溝の全体表面を、前記畝溝の方向に、間隔を持って配列された複数の孔が開けられた第１のシートで覆った図。
【図４】従来のビニールハウスでの人参の栽培方法を示す図、
【図５】本実施例の溝形成用マルチ農機具の図である。
【図６】本実施例の溝形成用マルチ農機具にて、トラクタ部の後方に配置された、耕うん用回転ローラ、両側に配置された畝形成板と、４個の溝切り板を示す図。
【図７】本実施例の畝溝形成用マルチ農機具にて、溝切り板固定駆動板の作動状態の図であり、図７（ａ）は、溝切り板固定駆動板を持ち上げた状態、図７（ｂ）は、溝切り板固定駆動板を下げて、溝切り板にて溝を形成する状態の図。
【図８】本実施例の人参栽培方法で収穫した人参の外観写真。
【発明を実施するための形態】
【００２８】
本発明の根茎菜の栽培方法は、耕作地を耕うんし、畝を形成し、前記畝の領域内に複数の溝を平行に形成するステップ１と、前記複数の溝の底部に、根茎菜の種を間隔をあけてまき、除草剤を噴霧するステップ２と、前記根茎菜の種を間隔をあけてまき、除草剤を噴霧した後に、前記畝および複数の溝の表面全体を、前記溝の方向に、間隔を持って配列された複数の孔が開けられた第１のシートで覆うステップ３と、前記第Ｉのシートの上の全体を、孔のない第２のシートで覆うステップ４と、前記畝溝の温度を保温して、種を発芽させ、根茎菜の生育を行うステップ５とで構成されることを特徴とする根茎菜の栽培方法である。
【００２９】
ここで、特に、前記根茎菜は、人参であることを特徴とするが、人参の他、たまねぎ、かぶ等の野菜でも栽培可能である。
【００３０】
本発明の溝形成用マルチ農機具は、耕うん用の回転ローラと、耕うんした土によって、畝を形成するための畝形成板と、形成した畝の領域内に、複数の溝を形成するための、農機具の進行方向と直交する方向に配列された複数の溝切り板と、複数の種まき機と、除草剤を噴霧する噴霧機と、前記畝全体表面を覆うように、前記溝の方向に、間隔を持って配列された複数の孔が開けられた第１のシートを貼る第１のシート貼り機と、前記第１のシートの全面を、孔の無い第２のシートを貼る第２のシート貼り機とで構成されたことを特徴とする溝形成用マルチ農機具である。
【００３１】
ここで、前記複数の種まき機は、それぞれ回転ドラム内に種が装着される機構であって、前記複数の溝切り板の後方に位置していることを特徴とする。
【００３２】
本発明の根菜菜の栽培地は、畝が形成され、前記畝の領域内に、複数の溝を平行に形成され前記複数の溝の底部に、根茎菜の種が間隔をあけてまかれ、除草剤が前記溝内の噴霧されており、前記畝および複数の溝の表面全体が、前記溝の方向に、間隔を持って配列された複数の孔が開けられた第１のシートで覆われており、前記第Ｉのシートの上の全体を、孔のない第２のシートで覆われたことを特徴とする根菜菜の栽培地である。
【実施例】
【００３３】
本発明の根菜菜の栽培方法および溝形成用マルチ農機具の実施例について、以下説明する。
【００３４】
（実施例１）
実施例１での人参の栽培方法について説明する。図１〜図３が、根菜菜の栽培方法についての、各ステップの図である。図１は、本発明の人参の栽培方法でのステップ１の状態で、耕作地を耕うんして、畝１および複数の畝溝２を形成した図であり、図２は、本発明の人参の栽培方法でのステップ２の状態で、ステップ１で形成した複数の畝溝２の底部に、人参の種３をまいた図であり、図３は、本発明の人参の栽培方法でのステップ３の状態で、前記畝および複数の畝溝の全体表面を、前記溝の方向に、間隔を持って配列された複数の孔５が開けられた第１のシート４で覆った図である。
【００３５】
ここで、記記溝の幅は、１０ｃｍとし、溝の深さは、７ｃｍとし、溝の中心部間隔は、２０ｃｍとしたが、この限りではない。ここで、前記溝の寸法は、植えられた根菜菜の種が発芽し、成長するのに、妨げとならない最適な寸法が選択される。
【００３６】
また、第１のシートの孔５の大きさについて、幅１．０ｃｍ、長さ６．０ｃｍとし、孔の間隔は、８．０ｃｍに設定したが、この限りではない。ここでシートの孔の寸法は、溝内部を保温するのに十分な狭さと、一方根菜菜が発芽して成長した場合に、シートの孔から、出て成育できる程度の大きさが選択される。
【００３７】
図３以降の工程について、図は、省略しているが、図３の第１のシートの上に、孔のない、第２のシートで覆う工程が追加される。第２のシートとして、例えばパスライト（登録商標）を使用するが、この第２のシートは、空気、水分を透過するものが好ましい。
この状態にて、前記第Ｉのシートおよび第２のシートによって、自然環境下において、畝全体が保温され、特に、畝溝２の内部の温度が、１５℃以上が保持されて、人参の種３が発芽するのに最適な環境となる。
【００３８】
本実施例の栽培方法では、栽培地の構造が、従来の図４のビニールハウスの場合に比べて、各段に簡単である。図８は、本実施例の人参栽培方法で収穫した人参の外観写真である。図４の従来のビニールハウスでの人参と、大きさ品質とも、同程度であった。また、本実施例では、人参の種の発芽、および成長が早く、収穫期間を短縮することができた。
【００３９】
（実施例２）
図５は、実施例２による溝形成用マルチ農機具のブロック図である。図５のごとく、溝形成用マルチ農機具は、トラクタ部１００の後方に、耕うん部２００、畝および溝形成部３００、種まき部４００、除草剤噴霧部５００、第１シートおよび第２のシート貼り部６００が順次接続されている。
【００４０】
図６は、本実施例の溝形成用マルチ農機具にて、トラクタ部の後方に配置された、耕うん用回転ローラ２１０、両側に配置された畝形成板１１０ａ，１１０ｂと、４個の溝切り板１２０ａ，１２０ｂ，１２０ｃ，１２０ｄを示す図である。６は、農機具の進行方向である。また２２０は、フレームである。
【００４１】
耕うん用回転ローラ２１０は、回転軸に耕うん用の金属刃が固定された構造であって、前記の金蔵刃が回転して、耕作地を耕うんする、
畝形成板１１０ａ，１１０ｂは、フレーム２２０からの取り付け具（図示していない）によって、取り付けられており、耕うん用回転ローラ２１０にて耕うんされた土をかき集めて、畝を形成する作用をする。前記畝形成板１１０ａ，１１０ｂは、進行方向について、三角形状にて形成されていて、耕うんされた土の中を進みやすくなる効果があり、また、後方に突き出た湾曲した板によって、土を押し固める作用を行う。
【００４２】
ここで、溝形成用マルチ農機具の畝および溝形成部３００の詳細について、更に、説明する。図７は、本発明の溝形成用マルチ農機具にて、溝切り板固定駆動板１３０の作動状態の図であり、図７（ａ）は、畝溝切り板固定駆動板１３０を持ち上げた状態、図７（ｂ）は、畝溝切り板固定駆動板１３０を下げて、畝溝切り板１２０ａにて畝溝２を形成する状態の図である。ここで、畝溝切り板固定駆動板１３０には、両側に回転アングル１３１が配置され、回転軸投入用穴１３２によって、任意の角度にて、固定できるように調整される。溝切り板固定駆動板１３０が回転して、溝を掘る体制となる。なお、畝溝切り板１２０ａには、１４０の傾斜部分があり、畝に対する溝の形成を容易とする効果がある。
【００４３】
なお、種まき部４００は、それぞれ回転ドラム内に種が装着される機構であって、前記複数の溝切板の後方に位置している複数の回転ドラムにて構成され、溝に根菜菜の種をまく機能を有する。除草剤噴霧部５００は、除草剤を溶かした液体を噴霧する機能を有し、溝に根菜菜の種をまいた後に噴霧する。
【００４４】
なお、第１シートおよび第２のシート貼り部６００は、畝全体表面を覆うために、前記畝溝の方向に、間隔を持って配列された複数の孔が開けられた第１のシートを貼る第１のシート貼り機の機構と、前記第１のシートの全面を、孔の無い第２のシートを貼る第２のシート貼り機の機構とで構成されている。
【産業上の利用可能性】
【００４５】
本発明によれば、根茎菜、特に人参などの栽培において、栽培地の構造が簡単であって、かつ根茎菜、特に人参の成長速度を早くすることが可能とする根茎菜の栽培方法を提供でき、更に農作業における畝の形成、前記畝への複数の溝の形成、溝底部への種まき、除草剤の噴霧、畝全体表面へのシート貼りの一連の作業を可能とする溝形成用マルチ農機具を提供することができ、農業の発展、向上に寄与することができる。
【符号の説明】
【００４６】
１    畝
２    溝
３    種
４    第１のシート
５    第１のシート上に開けた孔
６    農機具の進行方向
８    ビニールハウス
９    固定用残土
１０  畝の側面部分
１００  トラクタ部
１１０ａ，１１０ｂ                        畝形成板
１２０ａ，１２０ｂ，１２０ｃ，１２０ｄ    溝切り板
１３０    溝切り板固定駆動板
１３１    回転アングル
１３２    回転軸投入用穴
１４０    傾斜部分
１５０    ねじ固定部
２００    耕うん部
２１０    耕うん用回転ローラ
２２０  フレーム
３００  畝および溝形成部
４００  種まき部
５００  除草剤噴霧部
６００  第１シートおよび第２のシート貼り部
【図１】
2014018115.tif 000003
【図２】
2014018115.tif 000004
【図３】
2014018115.tif 000005
【図４】
2014018115.tif 000006
【図５】
2014018115.tif 000007
【図６】
2014018115.tif 000008
【図７】
2014018115.tif 000009
【図８】
2014018115.tif 000010